(57)【要約】【課題】  デスクやテーブル、あるいはベンチ等の配線ダクトを備えた家具や什器において、撓みが少なく、剛性が高い配線カバーであってもダクト開口部を回動開閉する操作が軽く、また衝突音の発生を抑制することが可能な配線ダクトのカバー装置を提供する。【解決手段】  家具や什器の適所に設けたダクト開口部４に、回動開閉可能に配線カバー５を設けてなる配線ダクトのカバー装置であって、ダクト開口部内に配置した少なくとも二つの支承具６に配線カバーの基端部を軸支部７にて上下回動可能に支持するとともに、支承具の軸支部の近傍位置にストローク式ダンパー８を上下方向に支持し且つ上端部に半球状の当接部２２を備えた作動ピン９を上向きに配置して、配線カバーが所定角度の傾斜状態から水平状態に至るまで作動ピンが配線カバーの受面１０に当接して、配線カバーを開く方向へ弾性付勢する。【選択図】        図５
2019063237.tif 000002
【特許請求の範囲】
【請求項１】
家具や什器の適所に設けたダクト開口部に、回動開閉可能に配線カバーを設けてなる配線ダクトのカバー装置であって、前記ダクト開口部内に配置した少なくとも二つの支承具に前記配線カバーの基端部を軸支部にて上下回動可能に支持するとともに、前記支承具の軸支部の近傍位置にストローク式ダンパーを上下方向に支持し且つ上端部に半球状の当接部を備えた該ストローク式ダンパーの作動ピンを上向きに配置して、前記配線カバーが所定角度の傾斜状態から水平状態に至るまで前記作動ピンが前記配線カバーの受面に当接して、該配線カバーを開く方向へ弾性付勢することを特徴とする配線ダクトのカバー装置。
【請求項２】
前記配線カバーの前記作動ピンの当接部が当接する受面が、下に凸の円弧面となっている請求項１記載の配線ダクトのカバー装置。
【請求項３】
前記配線カバーは閉じ切ると水平状態となり、前記作動ピンの当接部は受面の水平面に当接した状態となる請求項２記載の配線ダクトのカバー装置。
【請求項４】
前記配線カバーのカバー本体はアルミニウムの押出し型材で作成し、前記支承具が合成樹脂の成形品であり、前記軸支部は、前記カバー本体の基部に形成した断面略Ｃ字形の軸溝に、前記支承部に軸方向を水平に向けて形成したスリット付きの支軸を回転可能に密嵌した構造である請求項１〜３何れか１項に記載の配線ダクトのカバー装置。
【請求項５】
前記支承具の支軸は、該支承具に上方へ突設した支持台に両側端を側方へ突出状態で設け、前記カバー本体の軸溝の一部に前記支持台を受け入れる切欠部を設けてなり、該支持台に切欠部の縁部が当接することで配線カバーの横方向移動を規制してなる請求項４記載の配線ダクトのカバー装置。
【発明の詳細な説明】
【技術分野】
【０００１】
本発明は、配線ダクトのカバー装置に係わり、更に詳しくは配線ダクトを備えた家具や什器においてダクト開口部を開閉するカバー装置に関するものである。
【背景技術】
【０００２】
従来から配線機能を備えた家具や什器は各種提供され、特に天板一部若しくは天板の後端と後幕板間、あるいは前後の天板間にダクト開口部を設け、該ダクト開口部に開閉可能な配線カバーを設けた構造のデスクやテーブルは周知である。
【０００３】
特許文献１には、前後の天板の間にダクト開口部を設け、該ダクト開口部の中央部に沿って支持部材を設け、該支持部材の両縁部に円弧状側面を有し、アルミニウム等の押出し型材からなる配線カバーの円弧状の外接面を前記円弧状側面に回転可能に外嵌し、配線カバーを水平から略垂直な状態間で回転可能に支持した構造が記載されている。この場合、垂直状態の配線カバーを水平状態に回転させてダクト開口部を閉じる際に、該配線カバーの急回転を抑制し、また水平状態と垂直状態に保持するために、前記円弧状側面に凹部を二箇所設けるとともに、配線カバーの端部に装着したエンドキャップに弾性的な円弧状の外接面を設け、該外接面の先端に前記凹部に係合する凸部を設け、該凸部が円弧状側面に摺接するように構成している。
【０００４】
また、特許文献２には、ダクト開口部の長手方向に複数に分割した配線カバーを配置し、各配線カバーは押出し型材のカバー本体の両端に端部材を装着した構造であり、各配線カバーの端部材を、ダクト開口部内に配置した端部支承具と中間支承具で回転可能に支持する構造が記載されている。ここで、配線カバーを複数に分割して中間支承具を用いる理由は、デスクの横幅が広くなると配線カバーの撓みが問題になり、また撓まないように剛性を高めると重量が重くなり過ぎるという問題を解消するためである。勿論、配線カバーの重量が重くなると、開閉動作が重くなって使い勝手が悪くなり、また開放状態から閉じる際に、急回転して大きな衝突音が発生することも想定される。
【０００５】
特許文献３には、配線カバーの回動部に回転ダンパーを設けた構造が記載されているが、構造が複雑になり部品点数も増える。尚、重量の重い扉や可動部のヒンジ部に回転ダンパーを設けて、回動速度を制限するブレーキ機構を設けた家具や什器は多数存在するが、回転ダンパーは一般的に高価であるため、オフィス家具等に使用するとコスト高となる傾向にある。
【先行技術文献】
【特許文献】
【０００６】
【特許文献１】特開２００６−００６７７０号公報
【特許文献２】特開２０１２−０４５１１５号公報
【特許文献３】特開２００６−１４９７３３号公報
【発明の概要】
【発明が解決しようとする課題】
【０００７】
そこで、本発明が前述の状況に鑑み、解決しようとするところは、デスクやテーブル、あるいはベンチ等の配線ダクトを備えた家具や什器において、撓みが少なく、剛性が高い配線カバーであってもダクト開口部を回動開閉する操作が軽く、また衝突音の発生を抑制することが可能な配線ダクトのカバー装置を提供する点にある。
【課題を解決するための手段】
【０００８】
本発明は、前述の課題解決のために、以下に構成する配線ダクトのカバー装置を提供する。
【０００９】
（１）
家具や什器の適所に設けたダクト開口部に、回動開閉可能に配線カバーを設けてなる配線ダクトのカバー装置であって、前記ダクト開口部内に配置した少なくとも二つの支承具に前記配線カバーの基端部を軸支部にて上下回動可能に支持するとともに、前記支承具の軸支部の近傍位置にストローク式ダンパーを上下方向に支持し且つ上端部に半球状の当接部を備えた該ストローク式ダンパーの作動ピンを上向きに配置して、前記配線カバーが所定角度の傾斜状態から水平状態に至るまで前記作動ピンが前記配線カバーの受面に当接して、該配線カバーを開く方向へ弾性付勢することを特徴とする配線ダクトのカバー装置。
【００１０】
（２）
前記配線カバーの前記作動ピンの当接部が当接する受面が、下に凸の円弧面となっている（１）記載の配線ダクトのカバー装置。
【００１１】
（３）
前記配線カバーは閉じ切ると水平状態となり、前記作動ピンの当接部は受面の水平面に当接した状態となる（２）記載の配線ダクトのカバー装置。
【００１２】
（４）
前記配線カバーのカバー本体はアルミニウムの押出し型材で作成し、前記支承具が合成樹脂の成形品であり、前記軸支部は、前記カバー本体の基部に形成した断面略Ｃ字形の軸溝に、前記支承部に軸方向を水平に向けて形成したスリット付きの支軸を回転可能に密嵌した構造である（１）〜（３）何れか１に記載の配線ダクトのカバー装置。
【００１３】
（５）
前記支承具の支軸は、該支承具に上方へ突設した支持台に両側端を側方へ突出状態で設け、前記カバー本体の軸溝の一部に前記支持台を受け入れる切欠部を設けてなり、該支持台に切欠部の縁部が当接することで配線カバーの横方向移動を規制してなる（４）記載の配線ダクトのカバー装置。
【発明の効果】
【００１４】
以上にしてなる本発明の配線ダクトのカバー装置は、以下に示す効果を奏する。
【００１５】
（１）の構成によれば、軸支部に近い位置にストローク式ダンパーを設けたので、配線カバーを閉じる動作の早い段階からダンパー機能を使用することができ、配線カバーの重量の差異を吸収することができる。また、ストローク式ダンパーの作動ピンと配線カバーの接触音も加速度がかかる前に接触することで低減化を図ることができる。回転ダンパーよりも安価なストローク式ダンパーを用いることで、コストダウンが図れるにも係わらず、回転ダンパーに匹敵する配線カバーの閉止時の静寂性が得られる。更に、閉止状態から配線カバーを持ち上げて開く際に、ストローク式ダンパーの弾性付勢力の支援で軽く開くことができる。更に、ストローク式ダンパーの作動ピンに斜め方向から荷重が加わり難くなるので、軸支部により近い位置にストローク式ダンパーを配置することができる。本来ダンパー本体にかかる斜め荷重を滑らせ逃がす事で下記効果が可能となる。
【００１６】
（２）の構成によれば、ストローク式ダンパーの作動ピンに斜め方向から荷重が加わり難くなるので、軸支部により近い位置にストローク式ダンパーを配置することができる。特に、作動ピンの上端部を半球状の当接部とし、配線カバーの作動ピンの上端部が当接する受面を下に凸の円弧面とすることにより、作動ピンと配線カバー受面との摺動抵抗を大幅に低減することができる。また、ストローク式ダンパーの耐久性を向上させることができる。
【００１７】
（３）の構成によれば、配線カバーを閉じ切って水平状態となった際に、作動ピンの当接部は受面の水平面に当接するので、作動ピンには軸方向の力しか作用しなくなり、長時間その姿勢を維持してもストローク式ダンパーに無理な力が加わらない。
【００１８】
（４）の構成によれば、配線カバーが長尺になっても、剛性が高いので撓みを防止でき、また軸支部にガタツキない回動動作が実現できる。配線カバーの軸溝に支承具の支軸を嵌合する際には、スリットの存在で支軸の外径が弾性的に小さくなるので容易になり、また嵌合した後には支軸が元の形状に復元しようとするので、密嵌状態を維持することができる。
【００１９】
（５）の構成によれば、カバー本体の長さを適宜切断して所望の長さの配線カバーを構成でき、また支承具を配置する位置に応じてカバー本体の軸溝に切欠部を形成すれば良く、設計の自由度が高く、また切欠部に支持台を受け入れることにより、配線カバーの横方向の変位を規制することができる。
【図面の簡単な説明】
【００２０】
【図１】本発明に係る配線ダクトのカバー装置を適用した家具又は什器の一例を示す斜視図である。
【図２】配線ダクトの拡大部分斜視図である。
【図３】支承具と配線カバーの関係を示す分解斜視図である。
【図４】配線カバーを垂直状態に全開した状態を示す部分縦断面図である。
【図５】配線カバーを閉じる途中でストローク式ダンパーの作動ピンに配線カバーの受面が当接した状態を示す部分縦断面図である。
【図６】配線カバーを水平状態に全閉した状態を示す部分縦断面図である。
【発明を実施するための形態】
【００２１】
次に、添付図面に示した実施形態に基づき、本発明を更に詳細に説明する。図１は本発明の配線ダクトのカバー装置を適用した家具又は什器の一例としてベンチＡを示し、図２〜図６はその要部の詳細を示し、図中１は天板、２は脚部、３は配線ダクト、４はダクト開口部、５は配線カバー、６は支承具をそれぞれ示している。
【００２２】
本実施形態のベンチＡは、前後に間隔を置いて天板１，１を脚部２で支持し、前後の天板１，１間にダクト開口部４を設けたものであり、テーブルと基本構成は同じであるが、脚部２の高さが低い設定である。そして、前記ダクト開口部４に前後にそれぞれ配線カバー５，５を配置した構造である。尚、前記配線カバー５は、天板１の横幅の半分の長さに分割して配置している。
【００２３】
本発明の配線ダクトのカバー装置は、家具や什器の適所に設けたダクト開口部４に、回動開閉可能に配線カバー５を設け、前記ダクト開口部４内に配置した少なくとも二つの支承具６に前記配線カバー５の基端部を軸支部７にて上下回動可能に支持するとともに、前記支承具６の軸支部７の近傍位置にストローク式ダンパー８をその作動ピン９を上向きにして上下方向に配置して、前記配線カバー５が所定角度の傾斜状態から水平状態に至るまで前記作動ピン９が前記配線カバー５の受面１０に当接して、該配線カバー５を開く方向へ弾性付勢することを特徴としている。
【００２４】
具体的には、図３及び図４に示すように、前記配線カバー５は、カバー本体１１の両端部にキャップ１２を装着した構造であり、前記カバー本体１１はアルミニウムの押出し型材で作成し、所定長さに切断した端部に合成樹脂成形品であるキャップ１２を固定している。ここで、前記受面１０は、前記カバー本体１１の裏面側の全面に形成した下面で構成することも可能であるが、少なくとも前記軸支部７に近い部分に設けた当接片で構成しても良い。また、前記カバー本体１１の基部には、断面略Ｃ字形の軸溝１３を形成するとともに、先端部にはアリ溝１４を形成して、合成樹脂やゴムからなる軟質片１５を装着している。
【００２５】
前記支承具６は、合成樹脂の成形品であり、一端部に上方へ突出した支持台１６を設け、該支持台１６に両側端を側方へ突出状態で支軸１７を一体的に設けている。つまり、前記支持台１６と支軸１７とで略Ｔ字形を構成している。また、前記支軸１７には上方へ開口し軸方向に延びたスリット１８を形成し、該支軸１７の外径が弾性的に縮小できるようにしている。更に、前記支承具６には、前記支軸１７の近傍位置に前記ストローク式ダンパー８を上下方向に向けて保持する支持筒１９を一体的に設けるとともに、該支持筒１９から離れた位置に緩衝部材２０を保持している。
【００２６】
前記軸支部７は、前記カバー本体１１の断面略Ｃ字形の軸溝１３に、前記支承具６に軸方向を水平に向けて形成したスリット付きの支軸１７が回動可能に密嵌して構成される。ここで、前記カバー本体１１の軸溝１３の一部に前記支承具６の支持台１６を受け入れる切欠部２１を切削にて形成している。そして、前記配線カバー５を垂直状態若しくは先端を前傾させた状態で、前記切欠部２１に支持台１６を受け入れながら、前記支軸１７の両端部を切欠部２１の両側の軸溝１３に嵌入する。前記支軸１７を軸溝１３に嵌入する際に、前記スリット１８の存在で支軸１７の外径を弾性的に縮小するので、比較的容易に嵌入でき、嵌合後には前記支軸１７は元の形状に弾性的に復元するので、軸溝１３に密嵌状態となり、適度な摩擦抵抗力を持って回動可能に配線カバー５が支承具６に支持される。ここで、前記切欠部２１を形成する位置は任意であり、前記支承具６を取付ける位置に応じて決定される。そして、前記支持台１６に切欠部２１の縁部が当接することで前記配線カバー５の横方向移動を規制している。
【００２７】
前記ストローク式ダンパー８は、通常軸方向に荷重をかけて使用するので、回動部材に使用しないが、作動ピン９になるべく軸方向以外の荷重がかからないように、本発明では工夫を施している。その一つは、前記ストローク式ダンパー８を軸支部７の近傍位置に配置することである。その二は、前記ストローク式ダンパー８の作動ピン９の上端部を、半球状の当接部２２とし、前記配線カバー５の前記作動ピン９の上端部が当接する受面１０を、下に凸の円弧面２３としたことである。
【００２８】
本発明において、「軸支部の近傍位置に」とは、軸支部７とストローク式ダンパー８の中心間距離が、前記カバー本体１１の横幅の１／３以内の距離、より好ましくは１／４以内の距離である。
【００２９】
前記支承具６の支持筒１９の口部には、前記ストローク式ダンパー８を挿入した状態で、上下反転させても脱落しないように摩擦接触部又は係合突出部を設けてあり、また底部には穴２４を設け、前記ストローク式ダンパー８を支持筒１９から外す際に、ドライバー等の工具を穴２４から差し入れることができるようにしている。また、前記配線カバー５の重量が重い場合に、初期の衝撃を緩和するために、前記支持筒１９の底部にゴム製の緩衝体２５を介装している。ここで、前記緩衝体２５は、二枚の円板の間に該円板よりも直径が小さな扁平円柱状のゴム材を挟み込んで積層した構造である。
【００３０】
本実施形態では、前記ダクト開口部４の中央に前記天板１と同じ高さの支持杆２６を脚部２，２間に渡して固定し、前記ダクト開口部４を前後に分割し、そして前記支持杆２６の下面側に交差するように、前後の天板１，１間に渡って保持部材２７を設け、該保持部材２７の上面に前記支承具６を取付けている。
【００３１】
図４は、前記配線カバー５を垂直状態にしてダクト開口部４を全開した状態を示している。ここで、本発明において「垂直」とは、略垂直を含む概念である。図５は、前記配線カバー５を回動させて閉じる途中で、前記ストローク式ダンパー８の作動ピン９の上端部に前記カバー本体１１の受面１０が当接した状態を示している。図６は、前記配線カバー５を水平状態にしてダクト開口部４を全閉した状態を示している。図５の状態から図６の状態まで、前記ストローク式ダンパー８の作動ピン９の半球状の当接部２２が、前記カバー本体１１の受面１０の円弧面２３に摺接しながら、前記配線カバー５の自重による回転モーメントの一部を相殺し、該配線カバー５から手を離してもゆっくりと閉じるようになっている。図６の全閉状態で前記配線カバー５の受面１０は前記緩衝部材２０に当止している。ここで、前記配線カバー５は閉じ切ると水平状態となり、前記作動ピン９の半球状の当接部２２は、配線カバー５を閉じる過程において受面１０の円弧面２３を経て最終的に水平面に当接した状態となる。
【００３２】
尚、前記緩衝部材２０を設ける代わりに、前記支承具６に一体成形した上下方向に弾力性を備えた板バネ部６Ａで前記配線カバー５、具体的にはカバー本体１１の遊端部を当接するようにしても良い。
【００３３】
また、前記配線カバー５を全開状態（垂直状態）に保持するために、あるいはクリック感を持たせるために、前記支承具６の端部に爪片２８を設けるとともに、前記配線カバー５、つまりカバー本体１１の基端に前記爪片２８を係合する凹部２９を設けている。
【００３４】
全閉状態の前記配線カバー５を開く場合には、前記ストローク式ダンパー８の作動ピン９が突出方向へ弾性付勢されているので、開く操作が軽くなる。
【符号の説明】
【００３５】
Ａ  ベンチ、
１  天板、
２  脚部、
３  配線ダクト、
４  ダクト開口部、
５  配線カバー、
６  支承具、
７  軸支部、
８  ストローク式ダンパー、
９  作動ピン、
１０  受面、
１１  カバー本体、
１２  キャップ、
１３  軸溝、
１４  アリ溝、
１５  軟質片、
１６  支持台、
１７  支軸、
１８  スリット、
１９  支持筒、
２０  緩衝部材、
２１  切欠部、
２２  当接部、
２３  円弧面、
２４  穴、
２５  緩衝体、
２６  支持杆、
２７  保持部材、
２８  爪片、
２９  凹部。
【図１】
2019063237.tif 000003
【図２】
2019063237.tif 000004
【図３】
2019063237.tif 000005
【図４】
2019063237.tif 000006
【図５】
2019063237.tif 000007
【図６】
2019063237.tif 000008